(57)【要約】      （修正有）【課題】耳障りなハウリング音のような音の発生を抑圧することができるとともに、二胡が奏でる音を小さくなったり音色が劣化するような副作用が抑えられた調整パッドを提供する。【解決手段】柔軟な素材により形成され、二胡の共鳴胴の琴皮２３に設けられた琴駒２４と胴敷２１までの間において、琴棹と共鳴胴との間に張設された２本の琴弦３４、３５と琴皮との間に挟まれて装着される調整パッド２５であって、全体板状に形成され所定の厚さ寸法を有するパッド本体を含み、パッド本体は、２本の琴弦が当接する琴弦当接部を含む上面部５１と、琴弦当接部の厚さ方向下方において、琴皮に接触する琴皮当接部を一部に含む下面部５７とを備えている。【選択図】図５
0003224872.tif 000002
【実用新案登録請求の範囲】
【請求項１】
柔軟な素材により形成され、二胡の共鳴胴の琴皮に設けられた琴駒と胴敷までの間において、琴棹と共鳴胴との間に張設された２本の琴弦と前記琴皮との間に挟まれて装着される調整パッドであって、
全体板状に形成され所定の厚さ寸法を有するパッド本体を含み、
前記パッド本体は、前記２本の琴弦が当接する琴弦当接部を含む上面部と、前記琴弦当接部の厚さ方向下方において、前記琴皮に接触する琴皮当接部を一部に含む下面部とを備えていることを特徴とする調整パッド。
【請求項２】
前記パッド本体は素材として外表面をゴムにより被覆されたスポンジを含み、平面略六角形状であると共に前記琴皮当接部を頂部とする略Ｖ字状の側面形状を有することを特徴とする請求項１記載の調整パッド。
【請求項３】
前記上面部と前記下面部との間には、前記各琴弦を収納するための溝部が設けられていることを特徴とする請求項１記載の調整パッド。
【請求項４】
前記溝部は、前記上面部の中央部付近から胴敷側端部にわたり、胴敷側端部に至るに従って徐々に深さ寸法が大きくなるように設けられていることを特徴とする請求項３記載の調整パッド。
【請求項５】
前記溝部は所定の深さ寸法を有し、内方に至るに従って互いに離間するように拡開して形成されていることを特徴とする請求項３又は４のいずれか１項に記載の調整パッド。
【考案の詳細な説明】
【技術分野】
【０００１】
本考案は、二胡のために用いられる調整パッドに関する。
【背景技術】
【０００２】
従来から、胡琴類の楽器として中国の琴弦楽器である二胡が知られている、この二胡は、二本の琴弦を、主として馬の尾の毛を張った弓でこすることで演奏する楽器である。
【０００３】
また、このような二胡は周知であり、改良が施されたものも存在する。（例えば、特許文献１、２参照）
【先行技術文献】
【特許文献】
【０００４】
【特許文献１】特開２０１０−４９２１９号公報
【特許文献２】実用新案登録第３２１８５５６号公報
【考案の概要】
【考案が解決しようとする課題】
【０００５】
二胡の琴弦は、糸巻部から胴敷まで張設されるが、これらの間にある琴駒と千斤にも掛けられる。更に、胴敷と琴駒の範囲の一部において琴弦と琴皮の間に挟まれるように調整パッド（「副琴駒」ともいう。）を装着できるが、仮に、このように調整パッドを装着しないと、ハウリング音のような音が発生してしまい、耳障りであった。
【０００６】
従来は、調整パッドとしては、短冊状のスポンジ又はフエルトを折り畳んだもの（例えば、三つ折りしたもの）や厚めのスポンジ又はフエルトが用いられていた。
【０００７】
このような調整パッドを用いると、ハウリング音のような音の発生を抑圧することができるが、副作用として、二胡が奏でる音が小さくなってしまったり、音色が劣化したりしていた。つまり、従来のように短冊状のスポンジ又はフエルトを折り畳んだものや厚めのスポンジ又はフエルトを調整パッドとして使用した場合には、調整パッドが面状に琴皮に接触することから吸音効果が高すぎ、発生する音全体を減衰させてしまう、という欠点があった。
【０００８】
本考案は、上記の点に鑑みてなされたものであり、耳障りなハウリング音のような音の発生を抑圧することができるとともに、二胡が奏でる音を小さくなったり音色が劣化するような副作用が抑えられた調整パッドを提供することを目的とする。
【課題を解決するための手段】
【０００９】
請求項１に係る考案は、柔軟な素材により形成され、二胡の共鳴胴の琴皮に設けられた琴駒と胴敷までの間において、琴棹と共鳴胴との間に張設された２本の琴弦と前記琴皮との間に挟まれて装着される調整パッドであって、
全体板状に形成され所定の厚さ寸法を有するパッド本体を含み、
前記パッド本体は、前記２本の琴弦が当接する琴弦当接部を含む上面部と、前記琴弦当接部の厚さ方向下方において、前記琴皮に接触する琴皮当接部を一部に含む下面部とを備えていることを特徴とする調整パッドである。
【００１０】
従って、請求項１に係る考案によれば、琴弦当接部で受け止めた琴弦の不要な振動を調整パッドにより減衰させることができる。
【００１１】
また、琴皮に接触した調整パッドにより琴皮の不要な振動を吸収することができる。
【００１２】
更に、琴皮当接部のみが琴皮に接触するように調整パッドを装着することができるので、調整パッドが必要以上に琴皮の振動を吸収することを避けることができる。
【００１３】
請求項２に係る考案は、前記パッド本体は素材として外表面をゴムにより被覆されたスポンジを含み、平面略六角形状であると共に前記琴皮当接部を頂部とする略Ｖ字状の側面形状を有することを特徴とする請求項１記載の調整パッドである。
【００１４】
従って、請求項２に係る考案によれば、琴弦で受け止めた琴弦の不要な振動を特にスポンジ部で吸収することができる。またＶ字の頂部に相当する琴皮当接部のみが琴皮に当接する。
【００１５】
請求項３に係る考案は、前記上面部と前記下面部との間には、前記各琴弦を収納するための溝部が設けられていることを特徴とする請求項１又は２記載の調整パッドである。
【００１６】
従って、請求項３に係る考案によれば、琴弦がより多くの面積で調整パッドに接触する。
【００１７】
請求項４に係る考案は、前記溝部は、前記上面部の中央部付近から胴敷側端部にわたり、胴敷側端部に至るに従って徐々に深さ寸法が大きくなるように設けられていることを特徴とする請求項３記載の調整パッドである。
【００１８】
従って、請求項４に係る考案によれば、溝部の側方内面ばかりではなく底部全体も琴弦に接触する。
【００１９】
請求項５に係る考案は、前記溝部は所定の深さ寸法を有し、内方に至るに従って互いに離間するように拡開して形成されていることを特徴とする請求項３又は４のいずれか１項に記載の調整パッドである。
【００２０】
従って、請求項５に係る考案によれば、琴弦は溝部内では主に溝部が離間する方向に振動するようになる。
【考案の効果】
【００２１】
従来のように短冊状のスポンジ又はフエルトを折り畳んだものや厚めのスポンジ又はフエルトを調整パッドとして使用した場合には、調整パッドが面状に琴皮に接触することから吸音効果が高すぎ、発生する音全体を減衰させてしまう、という欠点があった。
【００２２】
これに対して、請求項１に係る考案によれば、調整パッドの琴皮に対する当接面積が減少するので、琴線の振動から琴皮を介して共鳴胴に発生するハウリングを防止しつつ、音全体を減衰させないという効果を奏することができる。
【００２３】
請求項２に係る考案によれば、スポンジ部により琴弦の不要な振動を吸収することができる。また、スポンジ部で吸収しきれなかった振動はＶ字の頂部に相当する琴皮当接部のみを介して琴皮に伝わるので、琴皮に伝わり難くなる。琴皮の振動はＶ字の頂部に相当する琴皮当接部のみを介して調整パッド内部に伝わるので、調整パッドが必要以上に琴皮の振動を吸収することを避けることができる。
【００２４】
請求項３に係る考案によれば、琴弦がより多くの面積で調整パッドに接触するので、琴弦の不要な振動が調整パッドに伝わりやすくなり、琴弦の不要な振動をより多く減衰させることができる。
【００２５】
請求項４に係る考案によれば、琴弦がより多くの面積で調整パッドに接触するので、琴弦の不要な振動が調整パッドに伝わりやすくなり、琴弦の不要な振動をより多く減衰させることができる。
【００２６】
請求項５に係る考案によれば、琴弦の振動の振幅が増大すると琴弦がより強く張られるようになるので、琴弦の大振幅の振動をより効率的に減衰させることができる。
【図面の簡単な説明】
【００２７】
【図１】本考案の実施の形態による二胡の使用形態を示す説明図である。
【図２】本考案の実施の形態による二胡の共鳴胴の外観を示し、（Ａ）は共鳴胴の正面図、（Ｂ）は共鳴胴の側面図である。
【図３】本考案の実施の形態による調整パッドの外観を示す斜視図である。
【図４】本考案の実施の形態による調整パッドの外観を示し、（Ａ）は調整パッドの平面図、（Ｂ）は調整パッドの前面図、（Ｃ）は調整パッドの側面図であり、（Ｄ）は、調整パッドの下面図である。
【図５】本考案の実施の形態による、調整パッドが二胡に装着された状態における外観を示し、（Ａ）は調整パッドの平面図、（Ｂ）は調整パッドの前面図、（Ｃ）は調整パッドの側面図である。
【図６】本考案の実施の形態による調整パッドの展開した外観を示す図であり、（Ａ）は調整パッドの平面図を示し、（Ｂ）は側面図を示す。
【考案を実施するための形態】
【００２８】
以下、図面を参照して本考案を実施するための形態について詳細に説明する。
【００２９】
図１及び図２に示すように、二胡１は、筒状の共鳴胴２と、共鳴胴２に一端側が固定された琴棹部３と、を備え、演奏時には弓部４を対として音を奏でるものである。
【００３０】
なお、弓部４は、詳細な図示は省略するが、竹で作られた弓棹４１に馬の尻尾の毛を束ねた弓毛（図示せず）から構成され、弓棹４１の基端（手元側）に設けた調整部４２で弓毛の張力が調整される周知のものを用いることができる。
【００３１】
共鳴胴２は、胴敷２１の上面に固定された筒状の共鳴胴２２と、共鳴胴２２の一方の端面を構成する正面視多角形状の琴皮２３と、琴皮２３の中心部に固定された琴駒２４と、琴皮２３の下方寄りに設けられた調整パッド２５と、を備える。
【００３２】
琴棹部３は、共鳴胴２２に一端側が固定された琴棹３１と、琴棹３１の他端側に相互に上下で離間して設けられた糸巻部３２、３３、糸巻部３２、３３から共鳴胴２２の琴皮２３に向けてそれぞれ張られた２本の琴弦３４、３５と、琴棹３１の他端付近に設けられて琴棹３１の長さ方向中途部において２本の琴弦３４、３５を支持する千斤３６と、を備える。
【００３３】
二本の琴弦３４、３５は、それぞれ糸巻部３２、３３から胴敷２１までの間に張設される。また、二本の琴弦３４、３５は、千斤３６及び琴駒２４にも支持される。更に、二本の琴弦３４、３５は、胴敷２１と琴駒２４の間に配設された調整パッド２５に接触する。
【００３４】
本実施の形態においては、二胡１は、共鳴胴２２の高さ寸法Ｌ２の基準寸法は９０ｍｍである。共鳴胴２２の高さ寸法Ｌ２を含む琴棹３１の長さ寸法Ｌ１の基準寸法は８２ｃｍである。なお、共鳴胴２２の筒軸線方向に沿う奥行寸法Ｌ３の基準寸法は１３０ｍｍである。
【００３５】
図２（Ａ）に示すように、共鳴胴２２の一方の端面の形状は、図２（Ａ）の二点鎖線で示す円を内接円として各角部をＲ状とした略正六角形状とされ、琴棹３１の伸延方向を垂直方向と仮定した場合の水平方向に一対の対向辺が向くようにしている。したがって、共鳴胴２２の高さ寸法Ｌ２は、内接円の直径に等しい。
【００３６】
共鳴胴２２の胴体部分は、中空の筒状とされるとともに、図２（Ｂ）に示すように、その中途部を必要に応じて一方の端面よりも縮径又は拡径としている。共鳴胴２２の琴皮２３に対向する端面は閉塞している。したがって、共鳴胴２２は、例えば、職人の手作業によって、紫檀、黒檀、紅木等の比較的堅い木材を繰り抜き等によって加工される。
【００３７】
琴皮２３は、例えば、ニシキヘビ等の蛇皮とされているが、他の動物の皮や人工の皮で構成してもよい。
【００３８】
琴駒２４は、琴弦３４，３５の振動波を琴皮２３に伝動する部品である。琴駒２４の材質は、木や竹を用い、一般的には、楓材や松材が用いられている。
【００３９】
琴駒２４は、交換が可能であり、例えば、比較的新しい二胡１の場合には、硬くシャープな音色となるために楓や松系の軟木で底面の小さく低めのものを使用する。逆に、年月の経過に伴い琴皮２３の張りが緩み、音色が重く濁ったような二胡１の場合には、硬木で底面の大きめの背の高い琴駒２４を使用する。
【００４０】
琴駒２４の形状や大きさ等は、二胡１の状態と奏者の感性によって適宜のものが使われる。一般的には正面視略真円形状であるが、楕円や長方形、或いは、門形でもよい。
【００４１】
調整パッド２５は、琴駒２４と共鳴胴２の間で琴皮２３と琴弦３４、３５との間に挟まれるようにして配置される。調整パッド２５の詳細は後述する。
【００４２】
琴棹３１は、他端側である上端が屈曲されており、一端側は共鳴胴２２の内部に配置され、例えば、胴敷２１に固定される。琴棹３１は、例えば、共鳴胴２２の琴皮２３から筒軸方向に沿って所定の奥行き寸法Ｌ４だけ離れた位置で共鳴胴２２の内部に配置されている。なお、奥行き寸法Ｌ４は、琴棹３１の太さ寸法Ｌ５（例えば、１３ｍｍ）よりも長い寸法（例えば、２５ｍｍ）としている。
【００４３】
次に、図３乃至図６を参照して、調整パッド２５について詳細に説明する。
【００４４】
図３及び図４に示すように、調整パッド２５は、上面部５１と、それに対向する下面部５７、上面部５１及び下面部５７に挟まれた胴敷側端部６４、琴竿側端部６５、左端端部６６、右端端部６７、左下斜面部６８、右下斜面部６９、左上斜面部７０及び右上斜面部７１を備える。上面部５１は、第１傾斜上面部５４、第２傾斜上面部５５及びこれらに挟まれた谷線部５６を含む。下面部５７は、第１傾斜下面部５９、第２傾斜下面部６０及びこれらに挟まれた下方稜線部６１を含む。
【００４５】
上面部５１と下面部５７との間には、各琴弦３４、３５を収納するための溝部６２、６３が設けられている。より詳細には、第１傾斜上面部５４と谷線部５６の境界付近には溝部６２が形成されていて、第２傾斜上面部５５と谷線部５６の境界付近には溝部６３が形成されている。
【００４６】
次に、調整パッド２５の各特徴についての説明をする。
【００４７】
調整パッド２５は、柔軟な素材により形成される。より詳細には、調整パッド２５の内部の素材としては、スポンジ又はウレタンが利用される。また、調整パッド２５の表面（溝部を除く）の素材としては、薄い（例えば厚さ１ｍｍ前後）ゴムが用いられる。
【００４８】
調整パッド２５は、全体板状に形成され所定の厚さ寸法を有するパッド本体を含み、パッド本体は、２本の琴弦３４、３５が当接する琴弦当接部５２、５３を含む上面部と、琴弦当接部５２、５３の厚さ方向下方において、琴皮２３に接触する琴皮当接部５８を一部に含む下面部５７とを備えている。なお、図４において琴弦当接部５２、５３及び琴皮当接部５８に付いている網掛けは、説明のためのものである。
【００４９】
調整パッド本体は図６（Ａ）に示すように平面略六角形状であると共に図４（Ｂ）に示すように琴皮当接部５８を頂部とする略Ｖ字状の側面形状を有する。
【００５０】
溝部６２、６３は、図４（Ａ）、図４（Ｃ）に示すように、上面部５１の中央部付近から胴敷側端部６４にわたり、胴敷側端部６４に至るに従って徐々に深さ寸法が大きくなるように設けられている。
【００５１】
また、溝部６２、６３は、図４（Ｃ）に示すように、所定の深さ寸法を有し、図４（Ｂ）に示すように、内方に至るに従って互いに離間するように拡開して形成されている。
【００５２】
本実施形態による調整パッド２５によれば、下記の作用・効果を奏することができる。
【００５３】
琴弦当接部５２、５３でそれぞれ受け止めた琴弦３４、３５の不要な振動を調整パッド２５により減衰させることができる。また、琴皮２３に接触した調整パッド２５により琴皮２３の不要な振動を吸収することができる。更に、琴皮当接部５８のみが琴皮２３に接触するように調整パッド２５を装着することができるので、調整パッド２５が必要以上に琴皮２３の振動を吸収することを避けることができる。従って、調整パッド２５の琴皮２３に対する当接面積が減少し、琴線の振動から琴皮２３を介して共鳴胴２に発生するハウリングを防止しつつ、音全体を減衰させないという効果を奏することができる。
【００５４】
また、琴弦当接部５２、５３で受け止めた琴弦５２、５３の不要な振動を特にスポンジ部で吸収することができる。またＶ字の頂部に相当する琴皮当接部５８のみが琴皮２３に当接する。従って、スポンジ部により琴弦５２、５３の不要な振動を吸収することができる。また、スポンジ部で吸収しきれなかった振動はＶ字の頂部に相当する琴皮当接部５８のみを介して琴皮２３に伝わるので、琴皮２３に伝わり難くなる。琴皮２３の振動はＶ字の頂部に相当する琴皮当接部５８のみを介して調整パッド２５内部に伝わるので、調整パッド２５が必要以上に琴皮２３の振動を吸収することを避けることができる。
【００５５】
更に、本実施形態による調整パッド２５によれば、琴弦５２、５３がより多くの面積で調整パッド２５に接触する。従って、琴弦５２、５３がより多くの面積で調整パッド２５に接触するので、琴弦５２、５３の不要な振動が調整パッド２５に伝わりやすくなり、琴弦５２、５３の不要な振動をより多く減衰させることができる。
【００５６】
更に、本実施形態による調整パッド２５によれば、溝部６２、６３の側方内面ばかりではなく底部全体も琴弦５２、５３に接触する。従って、琴弦５２、５３がより多くの面積で調整パッド２５に接触するので、琴弦５２、５３の不要な振動が調整パッド２５に伝わりやすくなり、琴弦５２、５３の不要な振動をより多く減衰させることができる。
【００５７】
更に、琴弦５２、５３は溝部６２、６３の内部では主に溝部６２、６３が離間する方向に振動するようになる。従って、琴弦５２、５３の振動の振幅が増大すると琴弦５２、５３がより強く張られるようになるので、琴弦５２、５３の大振幅の振動をより効率的に減衰させることができる。
【００５８】
更に、本実施形態によれば、二胡１に調整パッド２５が装着された状態において二胡１の中心面から最も離れた部分である左側端部６６及び右側端部６７に進むに従って調整パッド２５の、琴棹３１に沿った方向の幅が減少している。従って、胴敷側端部６４と左側端部６６との間には、左下斜面部６８が形成され、胴敷側端部６４と右側端部６７との間には、右下斜面部６９が形成され、琴竿側端部６５と左側端部６６との間には、左上斜面部７０が形成され、琴竿側端部６５と右側端部６７との間には、右上斜面部７１が形成されている。
【００５９】
また、第１傾斜上面部５４及び第２傾斜上面部５５は、頂部付近の欠けがないものとしてみると、頂角が直角であり、底角が４５度の直角二等辺三角形である。
【００６０】
従って、第１傾斜上面部５４と第２傾斜上面部５５が平行になるように変形すると（つまり、調整パッド２５が平らなシートになるように展開すると）、調整パッド２５の上面部５１は正方形になる。従って、所定の厚みを有する素材を正方形に切り出してから、対角線に沿って曲げることにより、調整パッド２５の外形を形成することができる。従って、１枚の素材シートから多数の調整パッド２５を製造することができる。
【００６１】
一例として、図６に示すように、水平に展開にした場合の概形は、２２ｍｍ平方程度、厚さ８ｍｍ程度のシートである。また、胴敷側端部６４と琴竿側端部６５に対応する面取り部の対角線長さは１２ｍｍ、左側端部６６と右側端部６７に対応する面取り部の対角線の長さは３ｍｍである。また、折り曲げたときのＶ字の頂角は１２０度程度である。更に、左側端部６６から谷線部５６までの距離及び右側端部６７から谷線部５６までの距離は共に１０ｍｍ程度である。ここで、左側端部６６及び右側端部６７は平面状であり、谷線部５６はＵ字溝状であるとしている。
【００６２】
本考案はその精神または主要な特徴から逸脱することなく、他の種々の形で実施することができる。そのため、前述した各実施形態は単なる例示にすぎず、限定的に解釈されるべきではない。本考案の範囲は実用新案登録請求の範囲によって示すものであって、明細書本文にはなんら拘束されない。さらに、実用新案登録請求の範囲の均等範囲に属する変形や変更はすべて本考案の範囲内のものである。
【産業上の利用可能性】
【００６３】
本考案は、二胡に利用することができる。また、本考案は、他の弦楽器にも利用することができる。
【符号の説明】
【００６４】
１  二胡
２  共鳴胴
２１  胴敷
２２  共鳴胴
２３  琴皮
２４  琴駒
２５  調整パッド
３  琴棹部
３１  琴棹
３２  糸巻部
３３  糸巻部
３４  琴弦
３５  琴弦
３６  千斤
４  弓部
４１  弓棹
４２  調整部
５１  上面部
５２  琴弦当接部
５３  琴弦当接部
５４  第１傾斜上面部
５５  第２傾斜上面部
５６  谷線部
５７  下面部
５８  琴皮当接部
５９  第１傾斜下面部
６０  第２傾斜下面部
６１  下方稜線部
６２  溝部
６３  溝部
６４  胴敷側端部
６５  琴竿側端部
６６  左側端部
６７  右側端部
６８  左下斜面部
６９  右下斜面部
７０  左上斜面部
７１  右上斜面部
７２  中央部
Ｌ１  琴棹の長さ寸法
Ｌ２  共鳴胴の高さ寸法
Ｌ３  共鳴胴の奥行寸法
Ｌ４  奥行寸法
Ｌ５  太さ寸法
【図１】
0003224872.tif 000003
【図２】
0003224872.tif 000004
【図３】
0003224872.tif 000005
【図４】
0003224872.tif 000006
【図５】
0003224872.tif 000007
【図６】
0003224872.tif 000008